(57)【要約】ユーザ装置（１００）において、デジタルメディアデータコンテンツから得られる情報（１８７）と、ユーザ装置固有情報（１５０）を含む電子透かしを用いてデジタルメディアデータに電子透かしを入れ、それにより、デジタルメディアデータコンテンツコピーライトライセンスの向上された実施を可能にする方法。
2005536800.tif 000002
【特許請求の範囲】
【請求項１】
ユーザ装置においてデジタルメディアデータに電子透かしを入れる方法であって、
暗号化されたデジタルメディアデータを受信する段階と、
前記デジタルメディアデータを、解読データに解読する段階と、
前記解読データを、復元データに復号化する段階と、
デジタルメディアデータコンテンツ関連情報とユーザ装置固有指示子を含む電子透かし信号を生成する段階と、
前記電子透かし信号を、前記復元データに埋め込む段階と、
を含む方法。
【請求項２】
前記デジタルメディアデータコンテンツ関連情報は、前記デジタルメディアデータに対応するコピーライトライセンスデータに含まれる情報から得られる請求項１記載の方法。
【請求項３】
前記コピーライトライセンスデータは、前記デジタルメディアデータコンテンツの再生を制御するために用いる情報を含む請求項２記載の方法。
【請求項４】
前記ユーザ装置固有指示子は、前記ユーザ装置の一意の識別データを含む請求項１記載の方法。
【請求項５】
前記電子透かし信号は更に、前記デジタルメディアデータコンテンツの所有者のアイデンティティに関する情報を含む請求項１記載の方法。
【請求項６】
前記デジタルメディアデータコンテンツ関連情報は、前記デジタルメディアデータコンテンツの加入者情報を含む請求項２記載の方法。
【請求項７】
前記デジタルメディアデータコンテンツ関連情報は、前記コピーライトライセンスの有効期限を含む請求項２記載の方法。
【請求項８】
前記デジタルメディアデータコンテンツ関連情報は、前記コピーライトライセンスの分配権に関する情報を含む請求項２記載の方法。
【請求項９】
前記デジタルメディアデータコンテンツ関連情報は、前記コピーライトライセンスの地理的制限に関する情報を含む請求項２記載の方法。
【請求項１０】
前記デジタルメディアデータは、マルチメディアデータである請求項１記載の方法。
【請求項１１】
暗号化されたデジタルメディアデータを受信し、
前記デジタルメディアデータを、解読データに解読し、
前記解読データを、復元データに復号化し、
デジタルメディアデータコンテンツ関連情報とユーザ装置固有指示子を含む電子透かし信号を生成し、
前記電子透かし信号を、前記復元データに埋め込むよう適応及び構成されるユーザ装置。
【請求項１２】
前記デジタルメディアデータは、マルチメディアデータである請求項１１記載のユーザ装置。
【請求項１３】
前記デジタルメディアデータコンテンツ関連情報は、前記デジタルメディアデータに対応するコピーライトライセンスデータに含まれる情報から得られる請求項１１記載のユーザ装置。
【請求項１４】
前記コピーライトライセンスデータは、前記デジタルメディアデータコンテンツの再生を制御するために用いる情報を含む請求項１１記載のユーザ装置。
【請求項１５】
前記デジタルメディアデータコンテンツ関連情報は、前記デジタルメディアデータコンテンツの加入者情報を含む請求項１３記載のユーザ装置。
【請求項１６】
デジタルメディアデータコンテンツのコピーライトライセンスを実施する方法であって、
ユーザ装置においてデジタルメディアデータコンテンツを受信する段階と、
前記ユーザ装置において、前記デジタルメディアデータコンテンツを、解読データに解読する段階と、
前記ユーザ装置において、前記解読データを、復元データに復号化する段階と、
前記ユーザ装置において、コピーライトライセンスデータを受信する段階と、
前記コピーライトライセンスデータから少なくとも１つのデジタルメディアデータコンテンツ関連情報を抽出する段階と、
前記少なくとも１つのデジタルメディアデータコンテンツ関連情報とユーザ装置固有指示子を含む電子透かし信号を生成する段階と、
前記電子透かし信号を、前記復元データに埋め込む段階と、
前記デジタルメディアデータコンテンツの疑わしいコピー内に前記電子透かし信号を確認する段階と、
前記デジタルメディアデータコンテンツの前記疑わしいコピーが、前記コピーライトライセンスデータに応じて分配されたかどうか判断する段階と、
を含む方法。
【請求項１７】
前記デジタルメディアデータは、マルチメディアデータである請求項１６記載の方法。
【請求項１８】
前記デジタルメディアデータコンテンツ関連情報は、前記デジタルメディアデータに対応するコピーライトライセンスデータに含まれる情報から得られる請求項１６記載の方法。
【請求項１９】
前記デジタルメディアデータコンテンツ関連情報は、デジタルメディアデータコンテンツ加入者情報を含む請求項１６記載の方法。
【請求項２０】
前記デジタルメディアデータコンテンツ関連情報は、前記デジタルメディアデータコンテンツの再生を制御するために用いる情報を含む請求項１６記載の方法。
【請求項２１】
前記ユーザ装置固有指示子は、前記ユーザ装置の一意の識別データを含む請求項１６記載の方法。
【請求項２２】
前記デジタルメディアデータコンテンツ関連情報は、前記コピーライトライセンスの有効期限を含む請求項１６記載の方法。
【請求項２３】
前記デジタルメディアデータコンテンツ関連情報は、前記コピーライトライセンスの分配権に関する情報を含む請求項１６記載の方法。
【請求項２４】
前記デジタルメディアデータコンテンツ関連情報は、前記コピーライトライセンスの地理的制限に関する情報を含む請求項１６記載の方法。
【発明の詳細な説明】
【技術分野】
【０００１】
本発明は、デジタルメディアコンテンツ保護に係わり、より具体的には、コピーライト所有権の認証及びコピーライト保護のためにデジタルメディアデータに電子透かしを入れる方法に係る。
【背景技術】
【０００２】
マルチメディアデータコンテンツの保護は、コンテンツプロバイダが直面している非常に深刻な問題である。現在のコンテンツ保護方法は、承認されたユーザのみが暗号化されたマルチメディアデータコンテンツを解読するキーを有するという前提に基づいたマルチメディアデータコンテンツの暗号化に依存する。しかし、これは、ユーザの装置からの非暗号化され且つ復元された信号を取り、それを非合法の分配のために再符号化することを阻止しない。
【０００３】
デジタルマルチメディア産業において用いられているコピーライト保護の１つの方法は、デジタルマルチメディア信号（例えば、ビデオ及び／又はオーディオ信号）の電子透かし入れである。電子透かしは、デジタルマルチメディア信号のビットストリーム中に埋込みされるデジタルコードであって、一般的に、コピーライト所有者のアイデンティティを示す。電子透かしが、オーディオＣＤ又はビデオＤＶＤといったデジタルオーディオ又はビデオデータの個々のコピーに電子透かしが適用される場合、電子透かしは、各コピーの認可された受取人のアイデンティティを示すよう用いられてもよい。その場合、非合法に複製されたコピーは、元の受取人までたどることが可能である。
【０００４】
マルチメディアデータに電子透かしを入れるための既知の適用では、電子透かし信号は、ユーザ装置に固有の情報により一意に決定される。一般的に、これは、ユーザ装置の一意の機械ＩＤである。例えば、一部のＤＶＤプレイヤ製造業者は、一意の電子透かしが復元ビデオ出力信号に付加されるようその製造業者が製造するＤＶＤプレイヤ内に電子透かし入れエンジンを内蔵する。電子透かしは、電子透かし信号を生成する特定のＤＶＤプレイヤの一意の機械ＩＤを含む。そのＤＶＤプレイヤの出力からのビデオが記録されると、その記録されたコピーには、その非承認コピーを製造するのに用いたその特定のＤＶＤプレイヤを識別する情報を有する電子透かしが入れられ得る。
【０００５】
しかし、機械ＩＤのみを用いて電子透かし信号を決定することには幾らか制限がある。第一に、機械ＩＤは、各ユーザ装置に対する静的情報ピースであるので、変更しない。このことは、電子透かし信号は、所与のユーザ装置に対し比較的不変の特性パターンを示すことを決定付ける。このパターンは、比較的容易に検出されることが可能であり、従って、電子透かし信号は、分離される又は除去され得る。第二に、例えば、機械ＩＤだけといったように、電子透かしに含まれる情報は制限されるので、そのような情報に基づいたコンテンツ分配制限のタイプも、かなり制限される。
【発明の開示】
【発明が解決しようとする課題】
【０００６】
従って、改良された電子透かし入れ方法が必要である。
【課題を解決するための手段】
【０００７】
本発明の１つの面では、ＣＤプレイヤ、ＤＶＤプレイヤ、又は、ビデオセットトップボックスといったユーザ装置においてデジタルメディアデータに電子透かしを入れる方法が開示され、この方法では、電子透かしは、ユーザ装置に固有の情報に加えてデジタルメディアデータコンテンツから得られる情報を含む。本願にて使用するようなデジタルメディアデータは、マルチメディアデータ（即ち、ビデオ及びオーディオデータを含む）か、又は、ビデオデータのみ又はオーディオデータのみであり得る。典型的なデジタルコンテンツ分配フレームワークでは、メディアデータは、ユーザ装置において受信されると、一般的に、保護のために暗号化されている。コンテンツを解読するために、ユーザ装置は、一般的に、デジタルメディアコンテンツプロバイダからコピーライトライセンスを入手する必要がある。コピーライトライセンスは通常、コンテンツとは別に供給され、コンテンツを解読するキーを含む。コピーライトライセンスは更に、コンテンツの再生を制御するために用いる情報も含んでもよい。例えば、コピーライトライセンスは、そのコピーライトライセンスが制限される機械と、そのコピーライトライセンスの有効期限を特定し得る。デジタルメディアデータを解読した後、ユーザ装置は、デジタルメディアデータを復元するために復号化する。次に、ユーザ装置は、ライセンスデータに含まれる情報とユーザ装置の一意の識別情報を用いて、電子透かしを生成する。次に、電子透かしは、解読され復元されたデジタルメディアコンテンツ内に埋込みされる。電子透かしを生成し、電子透かしをホスト信号に埋込みするための信号処理方法は多数存在し、当該技術において周知である。このような方法のいずれをも本願に用いてもよい。
【０００８】
デジタルメディアデータコンテンツから得られる情報とユーザ装置固有情報を含む電子透かしを使用してデジタルメディアデータに電子透かしを入れることは、デジタルコンテンツ分配フレームワークにおいてコピーライト保護スキームに幾つかの利点を与える。まず、これは、デジタルメディアデータコンテンツプロバイダに、コンテンツ保護処理により参加する機会を与える。コンテンツプロバイダは、しばしば、コンテンツ保護に最も関心のある関係者であるので、コンテンツ保護処理をより良好に管理できるようコンテンツプロバイダの能力を高めることは好適である。次に、ユーザ装置の出力信号に埋め込まれる電子透かしは、従来の電子透かし入れ方法において見受けられるよりもより包括的な情報を含む。例えば、本発明の実施例により生成される電子透かしは、ユーザ装置の一意の機械ＩＤといったユーザ装置固有の情報と、デジタルメディアデータコンテンツに関連付けられるコピーライトライセンスから得られる情報を含む。コピーライト関連情報は、加入者／購入者情報、デジタルメディアデータコンテンツが指定される特定の装置、コピーライトライセンスの有効期限、デジタルメディアデータコンテンツは再分配可能かどうか（分配権）、デジタルメディアデータコンテンツを見ることのできる地理的場所（地理的制限）、並びにコンテンツプロバイダ情報といったデジタルメディアデータコンテンツの使用を規制する任意の規則を含み得る。このような包括的なコンテンツ関連情報は、デジタルメディアデータコンテンツの発生源、デジタルメディアデータコンテンツの目的の装置、及び、デジタルメディアデータコンテンツの寿命を決定するために用いることが可能であり、これは、デジタルメディアデータコンテンツのより効果的なコピーライト保護のために用い得る。
【０００９】
本発明の１つの面による電子透かし入れ方法は、デジタルメディアデータコンテンツプロバイダにより使用されて、コピーライト侵害行為をより効果的に見つけ、且つ、その侵害行為の発生源に遡ることを可能にする。包括的コンテンツ関連情報（コンテンツプロバイダ情報及びコンテンツ分配権を含む）が、ユーザ装置ＩＤと共に電子透かしの一部としてコンテンツ内に埋込みされるので、コンテンツプロバイダは、その一意の情報に関連する電子透かしパターンを探すことによりコンテンツプロバイダのコンテンツを容易に追跡することができる。そのようなコンテンツが見つけられると、デジタルメディアデータコンテンツプロバイダは、そのコンテンツがオリジナルの分配権に特定されるように分配されたか否かを判断することができる。デジタルメディアコンテンツのピースが、非合法コピーである場合、そのコピーを製造した装置、並びに、非合法分配が始められたコンテンツのアイデンティティを、電子透かし信号におけるコンテンツ関連情報を用いて特定することが可能である。
【発明を実施するための最良の形態】
【００１０】
本発明は、添付図面と共に本発明の例示的な実施例の以下の詳細な説明からより良好に理解できるであろう。
【００１１】
図１を参照するに、本発明の１つの実施例によるユーザ装置１００を概略的に示す。ユーザ装置１００には、デジタルメディアデータを解読するデクリプタ１１０と、解読されたデジタルメディアデータを復号化するデコーダ１２０と、電子透かし信号を生成し、電子透かし信号を解読且つ復元されたデジタルメディアデータ内に埋め込む電子透かし生成器１２５が設けられる。ユーザ装置１００には一般的に、ユーザ装置に固有の指示子が割当てられる。この例では、指示子は、製造業者により割当てられる一意の機械ＩＤ１５０である。ユーザ装置１００には、機械ＩＤ１５０が格納されるメモリユニット１６０が設けられてもよい。
【００１２】
１つの例示的な適用では、ユーザ装置１００は、デジタルメディアデータコンテンツプロバイダ３００から暗号化されたデジタルメディアデータ信号１７０を受信する。デクリプタ１１０は、暗号化されたデジタルメディアデータ信号１７０を、解読デジタルメディアデータ信号１７５に解読する。解読デジタルメディアデータ信号１７５は、次に、デコーダ１２０により復号化され復元される。電子透かし生成器１２５は次に、電子透かし信号を、デコーダ１２０からの復元デジタルメディアデータ信号１９０に埋込み、ユーザにより見られる又は記録されることが可能な最終的な出力信号１２０が生成される。本発明の別の実施例では、デコーダ１２０及び電子透かし生成器１２５は、２つの機能を組合わせる単一の装置であってもよい。
【００１３】
ユーザ装置１００が、デジタルメディアデータ信号１７０を解読するためには、ユーザ装置１００は、デジタルメディアデータプロバイダ３００からのコピーライトライセンスを必要とする。デジタルメディアデータコンテンツプロバイダ３００は、コピーライトライセンスデータ１８０を、暗号化されたデジタルメディアデータ信号１７０と共に供給する。コピーライトライセンスデータ１８０は一般的に、デジタルメディアデータ信号１７０を解読するための解読キー１８５を有する。デクリプタ１１０は、この解読キー１８５を用いて、デジタルメディアデータ信号１７０を解読する。
【００１４】
コピーライトライセンスデータ１８０は、デジタルメディアデータコンテンツに関する情報１８７を有する。デジタルメディアデータコンテンツ関連情報１８７は、デジタルメディアデータコンテンツの再生を制御するために用いられる情報を有する。デジタルメディアデータコンテンツに関する情報１８７の一部の例として、デジタルメディアデータコンテンツ加入者／購入者（即ち、ユーザ）情報、デジタルメディアコンテンツプロバイダの識別情報、ライセンスが制限される機械の識別情報、ライセンスの有効期限、コンテンツ分配権、及び地理的制限が挙げられる。デジタルメディアデータコンテンツ関連情報１８７、及び、ユーザ装置１００の機械ＩＤ１５０は、電子透かし信号を生成するよう電子透かし生成器１２５により処理される。電子透かし生成器１２５は、当該技術において一般的に知られている電子透かし入れ方法のいずれかを用いて、電子透かし信号を、復号化されたデジタルメディアデータ信号１９０内に埋込む。結果として得られる最終出力信号２１０は、非暗号化され、復元され、及び電子透かしが入れられている。
【００１５】
最終出力信号２１０には、コピーライトライセンスデータ１８０内の情報とユーザ装置１００の機械ＩＤ１５０から得られた電子透かし信号により電子透かしが入れられる。このような電子透かし入れスキームは、デジタルメディアデータコンテンツプロバイダに、そのプロバイダのデジタルメディアデータコンテンツの非合法に分配される任意のコピーのソースを識別することを可能にする。例えば、悪意を有するユーザがデジタルメディアデータコンテンツの非合法コピーを製造すると、デジタルメディアデータコンテンツのオリジナルコピーを解読し且つ再生するために用いられたユーザの装置は、本発明に従って、電子透かしを埋め込む。ユーザ装置の機械ＩＤ情報と、コピーライトライセンスデータから得られたデジタルメディアデータコンテンツ関連情報を有するその電子透かしは、デジタルメディアデータコンテンツプロバイダが、デジタルメディアデータコンテンツのオリジナルのユーザ（例えば、加入者又は購入者）と、非合法のコピーを製造するために用いられたユーザ装置１００を識別することを可能にする。従って、ユーザ装置１００が、現在、未知の関係者に所有されていても、非承認の分配が始まったコンテンツのオリジナルコピーのソースを特定することが可能である。本発明の電子透かし入れ方法の別の利点は、電子透かしは所与のユーザ装置に対し常に同じではないので、一般的に、ハッカーにより分離され除去される可能性が低い。
【００１６】
本発明の別の実施例では、電子透かし信号は、デジタルメディアデータコンテンツ所有者のアイデンティティに関する情報も有してもよい。デジタルメディアデータコンテンツ所有者は、一般的に、デジタルメディアデータコンテンツのコピーライトの所有者である。
【００１７】
本発明の電子透かし入れ方法に用いられる電子透かし信号のタイプは、ロバストタイプであり、もろくないことが好適である。つまり、電子透かしは、電子透かしが埋め込まれた後のデジタルメディアデータコンテンツ信号の更なる処理に耐えるべきである。例えば、ユーザ装置からの電子透かしが入れられた復元コンテンツデータが、コピーライト侵害者により、更に符号化及び復号化、又は、暗号化及び解読化されるとしても電子透かしはそれらの処理に耐え、認識可能であるべきである。そのようなロバストな電子透かしを生成する方法は、当該技術において周知である。そのような方法の幾つかの例は、INGEMAR J. COX ET AL., DIGITAL WATERMARKING ２４１−２７８（Morgan Kaufmann Publishers、２００２年）に開示される。この引用部分は、本願に参照として組み込む。
【００１８】
上述した本発明は、上述の実施例を参照しながら説明したが、様々な改良及び変更を、本発明の精神から逸脱することなく行うことが可能である。従って、そのような改良及び変更は、特許請求の範囲内であると考えるものとする。
【００１９】
本願は、２００２年８月２１日に出願した米国特許仮出願番号６０／４０４８８４に基づいて優先権を主張する。
【図面の簡単な説明】
【００２０】
【図１】本発明の１つの実施例に従いデジタルメディアデータに電子透かしを入れる方法を実行可能なユーザ装置を示す図である。
【図１】
2005536800.tif 000003
【国際調査報告】
2005536800.tif 000004
2005536800.tif 000005
2005536800.tif 000006